(57)【特許請求の範囲】
【請求項１】
権利通知信号に基づき複数の電子機器を有する音源から無線で送られた音声信号をスピーカ側で受信して音声出力するコードレススピーカシステムであって、
前記スピーカで出力する前記音源の電子機器を選択する電子機器選択手段と、前記選択された電子機器に対して音声出力の権利を通知する権利通知信号を無線送信する権利通知信号送信手段と、前記音声出力の権利を与えた電子機器からの無線音声信号を受信する無線音声信号受信手段と、前記受信した無線音声信号を復調し、アンプを介して前記スピーカに出力させる音声信号復調手段と、を有する音声信号受信装置と、
前記各電子機器ごとに設けられかつ前記権利通知信号を受信する権利通知信号受信手段と、前記権利通知信号が自身の音声出力の権利を与えるものである場合、前記電子機器の本体回路側からの音声信号を変調して無線送信する無線音声信号送信手段と、を有する音声信号送信装置と、
を有することを特徴とするコードレススピーカシステム。
【請求項２】
前記音声信号受信装置は、スピーカボックス内部に設けられていることを特徴とする請求項１に記載のコードレススピーカシステム。
【請求項３】
前記音声信号送信装置は、前記電子機器内部に設けられていることを特徴とする請求項１に記載のコードレススピーカシステム。
【請求項４】
前記音声信号送信装置は、前記電子機器と別体に形成され、前記電子機器の音声出力端子から前記音声信号を取り込むように構成されていることを特徴とする請求項１に記載のコードレススピーカシステム。
【請求項５】
権利通知信号に基づき複数の電子機器を有する音源から無線で送られた音声信号をスピーカ側で受信して音声出力するコードレススピーカシステムであって、
前記スピーカで出力する前記音源の電子機器を選択する電子機器選択手段と、前記選択された電子機器を通知する電子機器選択信号を無線で出力する電子機器選択信号出力手段と、を有するリモートコントローラと、
前記リモートコントローラからの電子機器選択信号を受信する電子機器選択信号受信手段と、前記電子機器選択信号を解読し、前記選択された電子機器に対して音声出力の権利を通知する権利通知信号を無線送信する権利通知信号送信手段と、前記音声出力の権利を与えた電子機器からの無線音声信号を受信する無線音声信号受信手段と、前記受信した無線音声信号を復調し、アンプを介して前記スピーカに出力される音声信号復調手段と、を有する音声信号受信装置と、
前記各電子機器ごとに設けられかつ前記権利通知信号を受信する権利通知信号受信手段と、前記権利通知信号が自身の音声出力の権利を与えるものである場合、前記電子機器の本体回路側からの音声信号を変調して無線送信する無線音声信号送信手段と、を有する音声信号送信装置と、
を有することを特徴とするコードレススピーカシステム。
【請求項６】
音源から無線で送られた音声信号を受信してスピーカで音声出力させる音声信号受信装置において、
スピーカで出力する音源の電子機器を選択する電子機器選択手段と、
前記選択された電子機器に対して音声出力の権利を通知する権利通知信号を無線送信する通知信号出力手段と、
前記音声出力の権利を与えた電子機器からの無線音声信号を受信する無線音声信号受信手段と、前記受信した無線音声信号を復調し、アンプを介して前記スピーカに出力させる音声信号復調手段と、
を有することを特徴とする音声信号受信装置。
【請求項７】
音源から無線で送られた音声信号を受信してスピーカで音声出力させる音声信号受信装置において、
スピーカで出力する音源の電子機器を選択する電子機器選択信号をリモートコントローラから受信する電子機器選択信号受信手段と、
前記電子機器選択信号を解読し、前記選択された電子機器に対して音声出力の権利を通知する権利通知信号を無線送信する権利通知信号送信手段と、
前記音声出力の権利を与えた電子機器からの無線音声信号を受信する無線音声信号受信手段と、
前記受信した無線音声信号を復調し、アンプを介して前記スピーカに出力させる音声信号復調手段と、
を有することを特徴とする音声信号受信装置。
【請求項８】
電子機器の音声信号を無線によって送信する音声信号送信装置において、
前記音声信号を出力する権利があることを知らせる権利通知信号を受信する権利通知信号受信手段と、
前記権利通知信号が自身の音声出力の権利を与えるものである場合、前記電子機器の本体回路側からの音声信号を変調して無線送信する無線音声信号送信手段と、
を有することを特徴とする音声信号送信装置。
【請求項９】
音声信号をコードレスで受けて出力するスピーカボックスにおいて、
音源の電子機器を選択する電子機器選択手段と、
前記選択された電子機器に対して音声出力の権利を通知する権利通知信号を無線送信する権利通知信号送信手段と、
前記音声出力の権利を与えた電子機器からの無線音声信号を受信する無線音声信号受信手段と、前記受信した無線音声信号を復調し、アンプを介してスピーカに出力させる音声信号復調手段と、
を有することを特徴とするスピーカボックス。
【請求項１０】
音声信号をコードレスで受けて出力するスピーカボックスにおいて、
音源の電子機器を選択する電子機器選択信号をリモートコントローラから受信する電子機器選択信号受信手段と、
前記電子機器選択信号を解読し、前記選択された電子機器に対して音声出力の権利を通知する権利通知信号を無線送信する権利通知信号送信手段と、
前記音声出力の権利を与えた電子機器からの無線音声信号を受信する無線音声信号受信手段と、
前記受信した無線音声信号を復調し、アンプを介してスピーカに出力させる音声信号復調手段と、
を有することを特徴とするスピーカボックス。
【発明の詳細な説明】
【０００１】
【発明の属する技術分野】
本発明は音源から無線で送られた音声信号をスピーカ側で受信して音声出力するコードレススピーカシステム、音声信号送信装置、音声信号受信装置、およびスピーカボックスに関し、特に複数の電子機器からの音声信号を切り換えて出力するコードレススピーカシステム、音声信号送信装置、音声信号受信装置、およびスピーカボックスに関する。
【０００２】
【従来の技術】
通常、ステレオセットやポータブルと問わず、光ディスク装置やカセットテープデッキなど、さらにテレビ、パーソナルコンピュータなどのように音声信号の出力機能を有する電子機器では、それぞれ付属のスピーカや内蔵のスピーカを備えており、これを利用して音声を再生出力している。しかし、これらの電子機器が一つの部屋に複数個設置されている場合には、音像定位が多数存在することになり、聴く人にとっては、聴く位置や姿勢をその都度変えなくてはならず、面倒であった。
【０００３】
また、ステレオセットのように１対のスピーカに多数の電子機器を接続する場合には、配線が複雑になり、設置台数を増減するときの配線作業が煩わしかった。
【０００４】
そこで、スピーカへの配線をなくしたコードレススピーカシステムが提案されている。このコードレススピーカシステムでは、ソースとなる電子機器とスピーカとの間で赤外線などを利用して音声信号を送受するようにしている。これにより、スピーカへの配線を行わずに各電子機器の音声信号を出力することができる。
【０００５】
【発明が解決しようとする課題】
しかし、従来のコードレススピーカシステムでは、一つの送信装置に、予め複数の電子機器を配線を介して接続しておき、接続された電子機器のうちユーザによりスイッチなどで選択された電子機器の音声信号を、無線によりスピーカ側に送信するようにしていた。このため、電子機器の設置数に応じて、電子機器と送信装置との間の配線数も多くってしまうという問題があった。また、これにより、配線の作業が面倒となり、配線も邪魔になるという問題があった。
【０００６】
本発明はこのような点に鑑みてなされたものであり、煩雑な配線作業を不要としたコードレススピーカシステム、音声信号送信装置、音声信号受信装置、およびスピーカボックスを提供することを目的とする。
【０００７】
【課題を解決するための手段】
かかる課題を解決するため本発明においては、権利通知信号に基づき複数の電子機器を有する音源から無線で送られた音声信号をスピーカ側で受信して音声出力するコードレススピーカシステムであって、スピーカで出力する音源の電子機器を選択する電子機器選択手段と、選択された電子機器に対して音声出力の権利を通知する権利通知信号を無線送信する権利通知信号送信手段と、音声出力の権利を与えた電子機器からの無線音声信号を受信する無線音声信号受信手段と、受信した無線音声信号を復調し、アンプを介してスピーカに出力させる音声信号復調手段と、を有する音声信号受信装置と、各電子機器ごとに設けられかつ権利通知信号を受信する権利通知信号受信手段と、権利通知信号が自身の音声出力の権利を与えるものである場合、電子機器の本体回路側からの音声信号を変調して無線送信する無線音声信号送信手段と、を有する音声信号送信装置とを設ける。
【０００８】
このようなコードレススピーカシステムでは、音声信号受信装置側では、例えば使用者の手動操作を介して電子機器選択手段によりスピーカで出力する音源の電子機器を選択すると、権利通知信号送信手段が、選択された電子機器に対して音声出力の権利を通知する権利通知信号を無線送信する。
【０００９】
一方、各音声信号送信装置では、この権利通知信号を権利通知信号受信手段が受信する。そして、権利通知信号が自身の音声出力の権利を与えるものである場合、無線音声信号送信手段が、電子機器の本体回路側からの音声信号を変調して無線送信する。
【００１０】
音声信号受信装置では、無線音声信号受信手段が、音声出力の権利を与えた電子機器からの無線音声信号を受信する。この受信した無線音声信号を、音声信号復調手段が復調し、アンプを介してスピーカに出力させる。
【００１１】
このように、各電子機器に接続または内蔵された音声信号送信装置により、無線でスピーカ側の音声信号受信装置に音声信号を送ることができるので、音声信号送信装置と各電子機器は１対１の配線、あるいは配線を必要としない。よって、コードレススピーカシステムの利点が得られる上に、煩雑な配線作業を必要とせず、また、配線自体が邪魔になることもなく、さらに、各電子機器の配置に制限がない。
【００１２】
【発明の実施の形態】
以下、本発明の一実施形態を図面を参照して説明する。
図１は本実施形態のコードレススピーカシステムの機能の概念図である。音声信号受信装置１側では、テンキーなどの電子機器選択手段１ａによりスピーカ４で出力する音源の電子機器３を選択する。権利通知信号送信手段１ｂは、選択された電子機器３に対して音声出力の権利を通知する権利通知信号を無線送信する。
【００１３】
一方、各音声信号送信装置２では、この権利通知信号を権利通知信号受信手段２ａが受信する。そして、受信した権利通知信号が自身の音声出力の権利を与えるものである場合、無線音声信号送信手段２ｂが、電子機器３の本体回路側からの音声信号を変調して無線送信する。
【００１４】
音声信号受信装置１では、無線音声信号受信手段１ｃが、音声出力の権利を与えた電子機器３からの無線音声信号を受信する。この受信した無線音声信号を、音声信号復調手段１ｄが復調し、アンプ１ｅを介してスピーカ４に出力させる。
【００１５】
図２は本実施形態のコードレススピーカシステムの具体的な全体構成を示す図である。コードレススピーカシステム１０には、ライト側のスピーカボックス１１Ｒとレフト側のスピーカボックス１１Ｌとからなるスピーカセット１１が設けられている。また、各スピーカセット１１Ｒ，１１Ｌのスピーカ１１Ｒａ，１１Ｌａを使用して音声を出力するための電子機器として、テレビ１３、ステレオセット１４、ポータブルタイプの光ディスク装置１５、ノート型のパーソナルコンピュータ１６などが用意されている。これら各電子機器には、後述する音声信号送信装置が内蔵されており、それぞれアンテナ１３１，１４１，１５１，１６１を介して、音声信号を無線で送信できるようになっている。
【００１６】
リモートコントローラ（以下リモコンと呼ぶ）１２は、ユーザがキー１２１を操作することにより、スピーカセット１１で音を鳴らす電子機器を選択することができる。
【００１７】
スピーカセット１１のライト側のスピーカボックス１１Ｒ内には、後述するように音声信号受信装置が内蔵されており、アンテナ１１１を介して、テレビ１３、ステレオセット１４、光ディスク装置１５、パーソナルコンピュータ１６からの無線音声信号を受信することができる。また、アンテナ１１１を介して、無線音声信号の出力の権利を与える権利通知信号の出力も行われる。
【００１８】
スピーカボックス１１Ｒ内には、音声信号を増幅するアンプも内蔵されている。このアンプは、レフト側のスピーカボックス１１Ｌとケーブル１１ａによって接続されている。
【００１９】
また、スピーカボックス１１Ｒの正面には、赤外線センサ１１２が設けられており、リモコン１２から出力される赤外線データを受信する。赤外線データとしては、音声出力を行う電子機器の選択信号や、スピーカの音量設定信号がある。さらに、スピーカボックス１１Ｒの正面には、セレクトボタン１１３が設けられている。このセレクトボタンでは、リモコン１２のキー１２１による操作と同様に、音声出力を行う電子機器の選択指令が行える。
【００２０】
次に、このようなコードレススピーカシステム１０におけるスピーカボックス１１Ｒ内の構成について説明する。
図３はスピーカボックス１１Ｒ内の音声信号受信装置に関係する部分の構成を示すブロック図である。スピーカボックス１１Ｒ内には、音声信号受信装置２０が内蔵されている。音声信号受信装置２０の権利通知信号生成回路２１は、セレクトボタン１１３で電子機器の選択がなされると、その選択された電子機器に対する権利通知信号を生成する。また、リモコン１２から送られた赤外線データが赤外線センサ１１２で受光されると、赤外線デコーダ１１４がこれをデコードして権利通知信号生成回路２１に送る。この赤外線データには、リモコン１２のキー１２１で選択された電子機器を示す選択信号が含まれているので、この場合にも、権利通知信号生成回路２１は、対応する電子機器に対する権利通知信号を生成する。
【００２１】
権利通知信号生成回路２１で生成された権利通知信号は、権利通知信号送信回路２２によって微弱電波の無線信号に変調され、アンテナ１１１を介して、各電子機器、すなわちテレビ１３、ステレオセット１４、光ディスク装置１５、パーソナルコンピュータ１６などに送信される。
【００２２】
一方、音声信号復調回路２３は、アンテナ１１１で受信した電子機器からの無線音声信号を復調し、アンプ１１５に送る。アンプ１１５は、音声信号を増幅して、スピーカ１１Ｒａ，１１Ｌａを鳴らす。
【００２３】
図４は電子機器内の音声信号送信装置に関係する部分の構成を示すブロック図である。ここでは、例えばテレビ１３の構成について説明する。テレビ１３内には、音声信号送信装置３０が内蔵されている。権利通知信号受信回路３１は、アンテナ１３１で受信された権利通知信号の微弱電波を復調し、無線音声信号送信回路３２に送る。無線音声信号送信回路３２は、受信された権利通知信号が、テレビ１３に対するものであれば、本体回路１３２からの音声信号を無線信号に変調し、アンテナ１３１を介してスピーカボックス１１Ｒ側に送信する。ただし、この無線音声信号の送信中、権利通知信号の示す内容が他の電子機器の設定に切り換わった場合には、直ちに無線音声信号の送信を中止する。
【００２４】
なお、ステレオセット１４、光ディスク装置１５、パーソナルコンピュータ１６など他の電子機器についても、音声信号送信装置に関係する部分の構成はテレビ１３とほぼ同じなので、ここでは説明を省略する。
【００２５】
次に、このような構成の本形態のコードレススピーカシステム１０の作用について説明する。
まず、ユーザは、図２に示すように、リモコン１２のキー１２１を操作するか、スピーカボックス１１Ｒのセレクトボタン１１３を操作することにより、自身の聴きたい音源の電子機器を選択することができる。リモコン１２を操作した場合には、その赤外線信号がスピーカボックス１１Ｒの赤外線センサ１１２で受信される。スピーカボックス１１Ｒでは、図３で示したように、選択された電子機器に対して権利通知信号を微弱電波に変調して送信する。
【００２６】
そして、権利通知信号により権利を与えられた電子機器、例えば光ディスク装置１５は、光ディスクの音声信号を微弱電波に変調して送信する。これを受けたスピーカボックス１１Ｒは、その音をスピーカ１１Ｒａ，１１Ｌａで鳴らす。このとき、リモコン１２のキー１２１の所定のキーを利用することにより、音量の調節も可能である。
【００２７】
また、音が鳴っている途中でも、リモコン１２などを操作して他の電子機器を選択指令することにより、自動的に音源を切り換えることができる。
このように、本形態では、テレビ１３やステレオセット１４などの各電子機器に音声信号送信装置を内蔵させておき、スピーカセット１１側から権利通知信号を無線で与え、権利を得た電子機器から音声信号を無線で送信し、スピーカで鳴らすようにしたので、一つの送信装置に複数の電子機器を接続する必要ない。よって、複雑な配線を行う手間がなくなるとともに、配線が邪魔にならない。
【００２８】
また、配線が必要ないので、微弱電波の届く範囲内であれば、各電子機器を自由な場所に設置することができる。
なお、本形態では、権利通知信号および無線音声信号を送信する手段として微弱電波を使用する例を示したが、赤外線を使用することも可能である。
【００２９】
図５は赤外線を使用した場合のスピーカボックス１１Ｒ内の音声信号受信装置に関係する部分の構成を示すブロック図である。なお、図３の音声信号受信装置２０と同一の機能については、同一符号を付して説明を省略する。音声信号受信装置４０では、アンテナの代わりに、送信用の赤外線発光素子４１および受信用の赤外線センサ４２が設けられている。権利通知信号送信回路４３は、権利通知信号を赤外線出力用にエンコードし、赤外線発光素子４１を点灯させて各電子機器に送信する。一方、音声信号復調回路４４は、赤外線センサ４２で受信した赤外線データをデコードし、その音声信号をアンプ１１５に送る。
【００３０】
なお、これ以外の機能については図３の音声信号受信装置２０とほぼ同じなので、説明を省略する。
図６は赤外線を使用した場合の電子機器内の音声信号送信装置に関係する部分の構成を示すブロック図である。ここでは、図４と同様に、テレビ１３を例にする。なお、図４の音声信号送信装置３０と同一の機能については、同一符号を付して説明を省略する。この音声信号送信装置５０では、アンテナの代わりに、受信用の赤外線センサ５１および送信用の赤外線発光素子５２が設けられている。赤外線センサ５１では、音声信号受信装置４０から送られた赤外線データを受信し、これを権利通知信号受信回路５３がデコードして権利通知信号として音声信号送信回路５４に送る。音声信号送信回路５４は、受信された権利通知信号が、テレビ１３に対するものであれば、本体回路１３２からの音声信号をエンコードし、赤外線発光素子５２を点灯させてスピーカボックス１１Ｒに送信する。
【００３１】
なお、上記説明では、音声信号受信装置２０，４０、音声信号送信装置３０，５０を、それぞれスピーカボックス１１Ｒ、各電子機器に内蔵する構成を示したが、それぞれを独立した単体装置として設けることも可能である。
【００３２】
図７は単体装置としての音声信号送信装置の使用例を示す図である。音声信号送信装置６０は、コード６０ａを介して、例えば光ディスク装置１５のイヤホンジャック１５２と接続される。音声信号送信装置６０は、例えば微弱電波を使用する装置であり、アンテナ６２を介して、権利通知信号を受信したり無線音声信号を送信したりできる。また、本体部６１内には、スピーカ側からの権利通知信号を処理したり、光ディスク装置１５からの音声信号を処理する回路が内蔵されている。
【００３３】
図８は単体装置としての音声信号送信装置６０内部のハードウェア構成を示すブロック図である。本体部６１内の権利通知信号受信回路６１ａは、アンテナ６２で受信された権利通知信号の微弱電波を復調し、無線音声信号送信回路６１ｂに送る。無線音声信号送信回路６１ｂは、受信された権利通知信号が、光ディスク装置１５に対するものであれば、コードを介して送られる光ディスク装置１５からの音声信号を無線信号に変調し、アンテナ６２を介してスピーカボックス１１Ｒ側に送信する。ただし、この無線音声信号の送信中、権利通知信号の示す内容が他の電子機器の設定に切り換わった場合には、直ちに無線音声信号の送信を中止する。
【００３４】
このように、単体装置として音声信号送信装置６０を設けることにより、各電子機器に音声信号送信装置が内蔵されていなくても、従来からある電子機器に音声信号送信装置６０を接続するだけで、容易にスピーカセット１１を鳴らすことができる。特に、光ディスク装置１５などのようにポータブルタイプの電子機器は、携帯してヘッドホンで音を聴くことができる一方、簡単な作業でスピーカでも聴くことができるので、非常に便利である。
【００３５】
なお、図７、図８の音声信号送信装置６０では、微弱電波を使用する例を示したが、図６の音声信号送信装置５０と同様に、赤外線を使用する構成にしてもよい。この場合には、アンテナ６２に代えて、赤外線センサおよび赤外線発光素子を設ければよい。
【００３６】
【発明の効果】
以上説明したように本発明では、スピーカ側から権利通知信号を無線で与え、権利を得た電子機器から音声信号を無線で送信し、これをスピーカで鳴らすようにしたので、一つの送信装置に複数の電子機器を接続する必要がない。よって、複雑な配線を行う手間がなくなるとともに、配線が邪魔にならない。
【００３７】
また、配線が必要ないので、微弱電波の届く範囲内であれば、各電子機器を自由な場所に設置することができる。
【図面の簡単な説明】
【図１】本実施形態のコードレススピーカシステムの機能の概念図である。
【図２】本実施形態のコードレススピーカシステムの具体的な全体構成を示す図である。
【図３】スピーカボックス内の音声信号受信装置に関係する部分の構成を示すブロック図である。
【図４】電子機器内の音声信号送信装置に関係する部分の構成を示すブロック図である。
【図５】赤外線を使用した場合のスピーカボックス内の音声信号受信装置に関係する部分の構成を示すブロック図である。
【図６】赤外線を使用した場合の電子機器内の音声信号送信装置に関係する部分の構成を示すブロック図である。
【図７】単体装置としての音声信号送信装置の使用例を示す図である。
【図８】単体装置としての音声信号送信装置内部のハードウェア構成を示すブロック図である。
【符号の説明】
１……音声信号受信装置、１ａ……電子機器選択手段、１ｂ……権利通知信号送信手段、１ｃ……無線音声信号受信手段。１ｄ……音声信号復調手段、１ｅ……アンプ、２……音声信号送信装置、２ａ……権利通知信号受信手段、２ｂ……無線音声信号送信手段、３……電子機器、４……スピーカ、１０……コードレススピーカシステム、１１……スピーカセット、１１Ｒ……ライト側のスピーカボックス、１１Ｌ……レフト側のスピーカボックス、１１Ｒａ……スピーカ、１１Ｌａ……スピーカ、１２……リモートコントローラ、１３……テレビ、１４……ステレオセット、１５……光ディスク装置、１６……パーソナルコンピュータ、１１１，１３１，１４１，１５１，１６１……アンテナ、１１２……赤外線センサ、１１３……セレクトボタン
【図１】
0003786321.tif 000002
【図２】
0003786321.tif 000003
【図３】
0003786321.tif 000004
【図４】
0003786321.tif 000005
【図５】
0003786321.tif 000006
【図６】
0003786321.tif 000007
【図７】
0003786321.tif 000008
【図８】
0003786321.tif 000009